(57)【要約】      （修正有）【課題】かごの天面部の強度を強くする特別な部材を設けることなく安全帯の連結部が連結される支持部材を強固に取付けることができ、コストの削減及び設置作業の容易化を実現できるエレベータ装置を提供する。【解決手段】プラットホーム１６の側端部に立設される縦枠部１７の上横枠体２０に昇降路２に立設した油圧ジャッキ７のロッド９の上端部を固着する。油圧ジャッキ７を駆動することで昇降路２においてプラットホーム１６及び該プラットホーム１６に載設したかご１を昇降する。安全帯の連結部を連結可能な支持部材２４を上横枠体２０に設ける。【選択図】図２
2006232457.tif 000002
【特許請求の範囲】
【請求項１】
プラットホームの側端部に立設される縦枠部の上横枠体に昇降路に立設した油圧ジャッキのロッドの上端部を固着し、油圧ジャッキを駆動することで昇降路においてプラットホーム及び該プラットホームに載設したかごを昇降する油圧式のエレベータ装置において、安全帯の連結部を連結可能な支持部材を上横枠体に設けて成ることを特徴とするエレベータ装置。
【請求項２】
支持部材の一端部に安全帯の連結部を連結可能な取付部を形成し、平面視で支持部材の全部が上横枠体に重複した状態と取付部が上横枠体よりも外側に位置する状態とに変更可能となるように、支持部材の取付部とは反対側の他端部を上横枠体に縦軸回りに回動可能に取付けて成ることを特徴とする請求項１に記載のエレベータ装置。
【請求項３】
上横枠体の平面視における中央部に支持部材の取付部とは反対側の他端部を載置し、該上横枠体の長手方向の中央部及び支持部材の他端部に上方からボルトを挿通すると共に該ボルトに支持部材の他端部を回動可能に取付け、ボルトの軸部をロッドの上端部に螺合して上横枠体にロッドの上端を固着して成ることを特徴とする請求項２に記載のエレベータ装置。
【発明の詳細な説明】
【技術分野】
【０００１】
本発明は安全帯の連結部を連結可能な支持部材を備えたエレベータ装置に関する。
【背景技術】
【０００２】
エレベータ装置のかご上で保守・点検作業を行う際には安全帯を着用することが義務付けられており、従来では例えばかごの天面部上に立設した手摺りを安全帯の連結部（ランヤードのフック部等）を連結する支持部材として用いていた（例えば、特許文献１参照）。
【０００３】
ところでかごをパネルで形成したようなエレベータ装置にあってはかごの天井パネルで形成された天面部自体の強度が弱く、このため上記支持部材としての手摺りをかご上に設置するには特別な部材を設けてかごの天面部の強度を強くする必要がある。しかし、かごの天面部の強度を強くする特別な部材を設けるにはコストがかかり、またエレベータ装置の設置作業に手間がかかる。またかごの天面部上には手摺りを立設していないものもあり、このものにあってはかごの天面部上に安全帯の連結部が連結可能な支持部材を新たに設ける必要があるのだが、この場合も同様にかごに天面部の強度を強くする特別な部材を設ける必要がある。また上記支持部材はかごに強固に固着する必要があり、この点でもコストがかかり、エレベータの設置作業に手間がかかる。
【特許文献１】特開平８−１９８５４９号公報
【発明の開示】
【発明が解決しようとする課題】
【０００４】
本発明は上記従来の問題点に鑑みて発明したものであって、かごの天面部の強度を強くする特別な部材を設けることなく安全帯の連結部が連結される支持部材を強固に取付けることができ、コストの削減及び設置作業の容易化を実現できるエレベータ装置を提供することを課題とするものである。
【課題を解決するための手段】
【０００５】
上記課題を解決するために本発明に係るエレベータ装置は、プラットホーム１６の側端部に立設される縦枠部１７の上横枠体２０に昇降路２に立設した油圧ジャッキ７のロッド９の上端部を固着し、油圧ジャッキ７を駆動することで昇降路２においてプラットホーム１６及び該プラットホーム１６に載設したかご１を昇降する油圧式のエレベータ装置において、安全帯の連結部を連結可能な支持部材２４を上横枠体２０に設けて成ることを特徴とする。油圧ジャッキ７のロッド９の上端部が固着される構造上強度の強い上横枠体２０に支持部材２４を設けることで、かご１の天面部の強度を高めるための特別な部材を設けることなく安全帯の連結部が連結される支持部材２４を強固に取付けることができ、これによりコストを削減でき、またエレベータ装置の設置作業の手間を省ける。
【０００６】
また支持部材２４の一端部に安全帯の連結部を連結可能な取付部２５を形成し、平面視で支持部材２４の全部が上横枠体２０に重複した状態と取付部２５が上横枠体２０よりも外側に位置する状態とに変更可能となるように、支持部材２４の取付部２５とは反対側の他端部を上横枠体２０に縦軸回りに回動可能に取付けることも好ましい。支持部材２４に安全帯の連結部を連結しない際やエレベータ装置の設置作業の際に、支持部材２４を回動して平面視において上横枠体２０から外側に突出しない状態に変更することができ、これによりかご１を昇降させた際に昇降路２内に設けた配線等の部材に支持部材２４が当たったり、またプラットホーム１６にかご１を載設する際に縦枠部１７に設けた支持部材２４にかご１が当たったり、配線作業等をする際に支持部材２４が邪魔になったりすることを防止できる。
【０００７】
また上横枠体２０の平面視における中央部に支持部材２４の取付部２５とは反対側の他端部を載置し、該上横枠体２０の長手方向の中央部及び支持部材２４の他端部に上方からボルト２８を挿通すると共に該ボルト２８に支持部材２４の他端部を回動可能に取付け、ボルト２８の軸部２９をロッド９の上端部に螺合して上横枠体２０にロッド９の上端を固着することも好ましい。上横枠体２０をロッド９の上端部に固着するためのボルト２８を用いて支持部材２４を上横枠体２０に取付けることができ、またこのボルト２８を用いて支持部材２４を取付部２５とは反対側の他端部を平面視で支持部材２４の全部が上横枠体２０に重複した状態と取付部２５が上横枠体２０よりも外側に位置する状態とに変更可能となるように上横枠体２０に縦軸回りに回動可能に取付けることができる。またボルト２８により平面視における上横枠体２０の中央部をロッド９の上端部に固着できるので、上横枠体２０をロッド９に強固に固着できるのは勿論、加えて支持部材２４も上横枠体２０の平面視における中央部に取付けられるので、支持部材２４を回動させた際には取付部２５をかご１の平面視における中央部と上横枠体２０の長手方向において同じ箇所に位置させることができ、これによりかご１上のどの場所でも作業ができるように安全帯のロープの長さを設定した場合にロープの長さを短くでき、作業者がロープに足を引掛けて転んだりすることを防止できる。
【発明の効果】
【０００８】
本発明ではかごの天面部の強度を高めるための特別な部材を設けることなく安全帯の連結部が連結される支持部材を強固に取付けることができ、コストを削減でき、エレベータ装置の設置作業の手間を省ける。
【発明を実施するための最良の形態】
【０００９】
以下本発明を添付図面に示す実施形態に基いて説明する。図２は本実施形態の油圧式のエレベータ装置の一例を示す斜視図である。図に示すように建物にはかご１が上下に昇降可能な昇降路２を形成してあり、この昇降路２には各階の乗場に通じる乗場口と該乗場口を自動で開閉可能な乗場扉４（図３参照）を設けている。
【００１０】
図２のように昇降路２の底面部の左右方向の側端部（図示例では左側端部）にはジャッキスタンド５を載置固定している。ジャッキスタンド５の平面視中央部には下部のシリンダ８とシリンダ８に対して上下に伸縮する上部のロッド９とで構成された油圧ジャッキ７を立設している。昇降路２の底面部には油圧ホース１０を介して油圧ジャッキ７のシリンダ８に接続された油圧ユニット１１を載設してあり、該油圧ユニット１１を駆動することで油圧ジャッキ７のロッド９を上下に伸縮できるようになっている。またジャッキスタンド５の前後両側には相対向する上下に長いガイドレール１２を立設してあり、各ガイドレール１２の対向面部には長手方向の略全長に亘ってレール部１３を形成している。
【００１１】
昇降路２内を昇降するかご１は鋼材を枠組みしてなる正面視Ｌ字状のかご枠１５上に設置されるもので、該かご枠１５はかご１が設置されるプラットホーム１６と該プラットホーム１６の左右方向の側端部に立設する縦枠部１７とで構成される。縦枠部１７は図４、図５等に示すように前後方向の両側に配した側縦枠体１９と、両側の側縦枠体１９の上端部間及び下端部間の夫々を連結する上横枠体２０及び下横枠体２１とで構成されて、矩形状に枠組みされている。
【００１２】
図４に示す縦枠部１７の上端部を構成する上横枠体２０は前後に長い下向きコ字状の鋼材からなり、このコ字状の上横枠体２０の上面部の中央部（前後方向の中間部で且つ左右方向の中間部）はロッド９の上端面に載置されている。またこの上横枠体２０の上面部の中央部にはボルト挿通孔２３を穿設している。
【００１３】
上横枠体２０の上面部の中央部には図１等に示すように平面視長方形で水平板状の支持部材２４を縦軸回りに回動自在に取付けている。支持部材２４の長手方向の一端部には図示しない安全帯のフック部からなる連結部を係止自在とする取付部２５として連結部取付用孔を穿設している。また支持部材２４の取付部２５とは反対側の他端部にはボルト用孔２６を穿設してあり、このボルト用孔２６及び上横枠体２０のボルト挿通孔２３はロッド９の上端面に形成したボルト穴２７に連通しており、該ボルト用孔２６及びボルト挿通孔２３に上方から挿通したボルト２８の軸部２９をロッド９のボルト穴２７の内周面に形成した雌ねじ部に螺合することで、支持部材２４のボルト用孔２６側の端部及び上横枠体２０の上面部がロッド９の上端部に固着されている。このように上横枠体２０の上面部にロッド９の上端部を固着することで、前述の油圧ジャッキ７のロッド９を伸縮させた際にはかご枠１５及びかご枠１５に設置されたかご１を昇降できるようになっている。また上記支持部材２４はボルト穴２７に対するボルト２８の螺合を緩めて上横枠体２０に対してボルト２８をやや上昇させることで、支持部材２４のボルト用孔２６に挿通したボルト２８の軸部２９を回動中心として支持部材２４を縦軸回りに回転できるようになっている。
【００１４】
ここで上記上横枠体２０に設けた支持部材２４は上横枠体２０の幅寸法よりも短い幅寸法としている。また支持部材２４のボルト用孔２６から取付部２５までの距離は、平面視における上横枠体２０のボルト挿通孔２３から上横枠体２０のかご１側の端縁までの距離よりも長く、且つ上横枠体２０のボルト挿通孔２３からかご１の上横枠体２０側の端縁までの距離よりも短くしている。従ってボルト穴２７に対するボルト２８の螺合を緩めた際には、支持部材２４を回動して支持部材２４を平面視で支持部材２４の全部が上横枠体２０に重複した図６の実線で示す状態（以下収納状態という）や、取付部２５が上横枠体２０よりも外側に位置する図６の破線で示す状態（以下使用状態という）に変更できるようになっており、また支持部材２４を特に図１や図６の破線で示すように取付部２５側の端部をかご１側に向けて取付部２５が平面視で上横枠体２０よりもかご１側に位置させた状態とした際には、支持部材２４の取付部２５を平面視でかご１と縦枠部１７の上横枠体２０との間に配置できるようになっている。またこの状態からボルト２８のボルト穴２７に対する螺合を進めて支持部材２４及び上横枠体２０の上面部をロッド９の上端部に固着することで、支持部材２４を収納状態や使用状態で固定できるようになっている。
【００１５】
図４に示すように縦枠部１７の各側縦枠体１９は両側の側片部３０と両側片部３０間を連結する中央片部３１とで平面視コ字状に形成され、このコ字状の側縦枠体１９の内側に嵌め込まれた状態で上記上横枠体２０の長手方向の端部は側縦枠体１９の上端部に連結されている。各側縦枠体１９の中央片部３１の外面（ロッド９と反対側の面）の上端部及び下端部の夫々にはライナー３２を介してガイドシュー３３を取付けてあり、ガイドシュー３３に形成した上下に伸びるレール溝３４に前述の各ガイドレール１２のレール部１３を上下方向にスライド自在に挿入してあり、これによりかご１はガイドレール１２にガイドされつつ昇降路２内を昇降できるようになっている。またロッド９の上端部のかご１と反対側の側面部には水平方向に長いヨーク３５をボルト３６により固着してあり、該ヨーク３５の長手方向の両端面に形成した溝３７に各側縦枠体１９のかご１とは反対側の側片部３０の端部を挿入することで、油圧ジャッキ７に対する縦枠部１７の振れが防止されている。またプラットホーム１６は図５のように縦枠部１７の下端部にボルト３８により固着してある。なお図４の１４は上横枠体２０の長手方向の両側に設けたオイルポットである。
【００１６】
かご１は図１等に示すように平面視の中央部が上横枠体２０の長手方向（つまり前後方向）において上横枠体２０の中央部と略同じ箇所に位置するようにプラットホーム１６上に設置されており、このかご１は図７のように、矩形状の床パネル４０と、床パネル４０の前側を除く周囲に立設された側パネル４１ａ〜ｃと、天井パネル４２を備えている。
【００１７】
かご１の天面部を構成する天井パネル４２は縦枠部１７の上横枠体２０よりも下方に位置しており、図８に示すように天井パネル４２の縦枠部１７側の側端部（図示例では左側端部）には前後に長い正面視Ｌ字状のアングル４３の横片部４４を載置固定している。Ｌ字状のアングル４３の縦片部４５の長手方向の両側にはアングル４３の長手方向に長い長孔４６を形成してあり、各長孔４６に縦枠部１７とは反対側からボルト４７の軸部を挿入し、該軸部を縦枠部１７の各側縦枠体１９のかご１側の側片部３０の上端部に取付けたかご振れ止めブロック４８に螺合することで、縦枠部１７の上端部をかご１の上端部に固定して縦枠部１７に対するかご１の振れを防止している。また図９に示すように左右の側パネル４１ｂ、４１ｃ、天井パネル４２、床パネル４０によって形成されたかご１の前面開口の上縁部にはかご扉開閉装置４９を取付けてあり、かご扉開閉装置４９によりかご１の前面開口を閉塞するかご扉５０を自動で開閉できるようになっている。なお図２の５１はかご１の天井パネル４２に載設したエレベータ装置の制御盤であり、５２はかご１内を照らす照明器具（ダウンライト）である。
【００１８】
しかして本例のエレベータ装置にあっては前述の支持部材２４を取付部２５が平面視で上横枠体２０よりも外側に位置させた状態（好ましくは図１に示すように取付部２５が平面視で上横枠体２０よりもかご１側に位置させた状態）にし、この状態でボルト２８により支持部材２４を上横枠体２０に固定することで、支持部材２４の取付部２５に作業者が着用した安全帯の連結部を連結して安全を確保しつつかご１上で保守・点検作業を行えるようになっている。またこの支持部材２４は特に油圧ジャッキ７のロッド９の上端部が固着される構造上強度の強いかご枠１５の上横枠体２０に設けられているので、かご１の天面部の強度を高めるための特別な部材を設けることなく支持部材２４を強固に取付けることができる。
【００１９】
また支持部材２４に安全帯の連結部を連結しない場合には、支持部材２４を回動して平面視で支持部材２４の全部が上横枠体２０に重複した状態にし、これにより支持部材２４を平面視において上横枠体２０から外側に突出しない収納状態に変更することができ、これによりかご１を昇降させた際に昇降路２内に設けた配線等の部材に支持部材２４が当たることを防止できる。またエレベータ装置の設置作業の際にも上記同様支持部材２４を収納状態に変更して仕舞うことができ、これにより正面視Ｌ字状のかご枠１５のプラットホーム１６にかご１を載設する際に支持部材２４にかご１が当たったり、配線作業等をする際に支持部材２４が邪魔になることを防止でき、支持部材２４をエレベータ装置の設置作業に際に支障をきたすことを防止できる。
【００２０】
また本例では上横枠体２０の平面視における中央部に支持部材２４の取付部２５とは反対側の他端部を載置し、該上横枠体２０の長手方向の中央部及び支持部材２４の他端部に上方からボルト２８を挿通すると共に該ボルト２８に支持部材２４の他端部を回動可能に取付け、ボルト２８の軸部２９をロッド９の上端部に螺合して上横枠体２０にロッド９の上端を固着したので、上横枠体２０をロッド９の上端部に固着するためのボルト２８を用いて支持部材２４を上横枠体２０に取付けることができる。またこの場合ボルト２８のロッド９に対する螺合を緩めることで支持部材２４を回動可能として前述の収納状態や使用状態に変更可能とできるため、簡単な構成で支持部材２４を収納状態や使用状態に変更可能とすることができる。またボルト２８により平面視における上横枠体２０の中央部をロッド９の上端部に固着できるので、上横枠体２０をロッド９に強固に固着できるのは勿論、加えて支持部材２４も上横枠体２０の平面視における中央部に取付けられるので、支持部材２４を回動させた際には取付部２５をかご１の平面視における中央部と前後方向の同じ箇所に位置させることができ、即ち平面視でかご１の上横枠体２０とは反対側の２つの角のうち一方の角から取付部２５までの距離と他方の角から取付部２５までの距離とを略同じとすることができ、これによりかご１上のいずれの場所でも作業ができるように安全帯のロープの長さを設定した場合にこのロープの長さを短くできて、作業者がロープに足を引掛けて転んだりすることを防止できる。
【図面の簡単な説明】
【００２１】
【図１】本発明の実施の形態の一例を示し、かご及びかご枠を模式的に示した平面視説明図である。
【図２】同上のエレベータ装置の斜視図である。
【図３】同上の乗場扉を示す斜視図である。
【図４】同上のロッドと縦枠部を示す分解斜視図である。
【図５】同上の縦枠部とプラットホームを示す分解斜視図である。
【図６】同上の支持部材の回動の説明に用いた平面視説明図である。
【図７】同上のプラットホーム及びかごを示す分解斜視図である。
【図８】同上のかごと縦枠部の上端部との接続を示す分解斜視図である。
【図９】同上のかごの分解斜視図である。
【符号の説明】
【００２２】
１  かご
２  昇降路
７  油圧ジャッキ
９  ロッド
１６  プラットホーム
１７  縦枠部
２０  上横枠体
２４  支持部材
２５  取付部
２８  ボルト
２９  軸部
【図１】
2006232457.tif 000003
【図２】
2006232457.tif 000004
【図３】
2006232457.tif 000005
【図４】
2006232457.tif 000006
【図５】
2006232457.tif 000007
【図６】
2006232457.tif 000008
【図７】
2006232457.tif 000009
【図８】
2006232457.tif 000010
【図９】
2006232457.tif 000011